(57)【要約】【課題】十分な挟持力を確保し且つ片手での開閉が可能なピンチを提供する。【解決手段】互いに対向する一対の第１杆体１０及び第２杆体２０と、第１杆体１０及び第２杆体２０の一端部１１、２１が互いに接離するように第１杆体１０及び第２杆体２０の長手方向中央部を枢動可能に連結した連結部１２、２２と、第１杆体１０及び第２杆体２０の他端部１３、２３に設けてあり、対向方向に貫通した貫通孔１４、２４と、該貫通孔１４、２４を貫通した両端部３１、３１が前記一端部１１、２１を押圧して付勢する付勢条材３０とを備え、各一端部１１、２１の対向面にて物体を挟持するピンチにおいて、前記一端部１１、２１における前記対向面の反対側に前記一端部１１、２１から前記中央部に亘る溝１５、２５を設けてあり、前記付勢条材３０の端部３１は各溝１５、２５に摺動可能に係合している。【選択図】図１
2014133096.tif 000002
【特許請求の範囲】
【請求項１】
互いに対向する一対の杆体と、各杆体の一端部が互いに接離するように各杆体の長手方向中央部を枢動可能に連結した連結部と、各杆体の他端部側に設けてあり、対向方向に貫通した貫通孔と、該貫通孔を貫通した両端部が前記一端部を押圧して付勢する付勢条材とを備え、各一端部の対向面にて物体を挟持するピンチにおいて、
前記一端部側における前記対向面の反対側に前記一端部から前記中央部に亘る溝を設けてあり、
前記付勢条材の端部は各溝に摺動可能に係合していること
を特徴とするピンチ。
【請求項２】
前記貫通孔は前記杆体の長手方向に沿う長孔であり、
前記貫通孔の長手方向寸法は前記溝よりも長いこと
を特徴とする請求項１に記載のピンチ。
【請求項３】
前記付勢条材の端部に摺動抵抗を低減させる摺動子が設けてあること
を特徴とする請求項１又は２に記載のピンチ。
【請求項４】
前記溝の底面に突条が設けてあり、
該突条上を前記摺動子が摺動するようにしてあること
を特徴とする請求項３に記載のピンチ。
【請求項５】
前記連結部は、各杆体の対向箇所から対向する前記杆体に向けて突出しており、前記杆体の短手方向に並設され、前記杆体の長手方向に平行な複数の突出片を有し、
一方の杆体の突出片は、該突出片に交差する方向に平行な軸の回りに回動可能に、他方の杆体の突出片間に嵌入しており、
前記付勢条材はＣリング状をなし、前記両端部はそれぞれ各貫通孔から突出し、前記溝に係合していること
を特徴とする
請求項１から４のいずれか一つに記載のピンチ。
【請求項６】
前記付勢条材の中央部に固定された状態で２つの杆体の他端部側を橋絡し、各貫通孔に沿って摺動するように構成されたストッパを備えることを特徴とする請求項１から５のいずれか一つに記載のピンチ。
【請求項７】
各杆体は他端部側に凹部を有し、
該凹部は、底面の他端部側に、前記ストッパの端部が貫通する貫通口を有し、
前記ストッパは、各杆体の対向方向の両端部が前記凹部内を摺動するように構成されていることを特徴とする請求項６に記載のピンチ。
【請求項８】
棒状をなし、各杆体の対向方向に貫通し、前記付勢条材の中央部が摺動可能に挿通された貫通孔を有するストッパと、
前記連結部の内側に、２つの杆体を橋絡するように設けられ、中央部に前記付勢条材の端部の摺動方向に貫通する孔を有し、前記端部が前記溝の一端部に位置するときに、前記ストッパの一端部が前記孔に嵌合するように構成された嵌合部と
を備えることを特徴とする請求項１から５のいずれか一つに記載のピンチ。
【請求項９】
前記ストッパの一端部がテーパ状をなすことを特徴とする請求項８に記載のピンチ。
【請求項１０】
各杆体は、一端部側に、外側に膨出した湾曲部を備えることを特徴とする請求項６から９のいずれか一つに記載のピンチ。
【請求項１１】
前記ストッパの他端部側にフックを設けてあることを特徴とする請求項６から１０のいずれか一つに記載のピンチ。
【発明の詳細な説明】
【技術分野】
【０００１】
本発明は物体、例えば洗濯物を挟持するピンチに関する。
【背景技術】
【０００２】
洗濯物をハンガー又は竿等に係止させる場合、一般にピンチが使用される。ピンチは一対の杆体を備え、各杆体の中央部は、各一端部が接離するように枢動可能に連結してある。各杆体の一端部に円弧状の付勢条材の両端部が夫々係止しており、付勢条材の付勢力によって各一端部が接近させてある。一方の手で各杆体の他端部を押圧し、付勢条材に抗して各一端部を離隔させて、他方の手で一端部間に洗濯物を配し、他端部への押圧を解除することによって、一端部にて洗濯物が挟持される（例えば特許文献１参照）。
【０００３】
近年では更なる利便性の向上を図るべく、片手で開閉可能なピンチが提案されている。特許文献２には、リング状の付勢条材の内側に杆体を配置し、杆体の中央部を付勢条材にて押圧するピンチが開示してある。杆体の他端部側を押圧した場合、一端部側が開き、その状態を維持する。一端部側を押圧した場合、一端部側は閉じ、その状態を維持する。
【０００４】
そのため片手でピンチの一端部側を開き、洗濯物を一端部間に配した後、片手で一端部を閉じ、洗濯物を容易に係止させることができる。
【先行技術文献】
【特許文献】
【０００５】
【特許文献１】特開２００５−７０１２号公報
【特許文献２】特開２００８−２９５９８６号公報
【発明の概要】
【発明が解決しようとする課題】
【０００６】
しかし前記ピンチは、リング状の付勢条材にて杆体の中央部（換言すれば一端部から離れた部分）を押圧する構成であるため、一端部での挟持力が不十分となり、洗濯物が落下するおそれがある。
【０００７】
本発明は斯かる事情に鑑みたものであり、十分な挟持力を確保し且つ片手での開閉が可能なピンチを提供することを目的とする。
【課題を解決するための手段】
【０００８】
本発明に係るピンチは、互いに対向する一対の杆体と、各杆体の一端部が互いに接離するように各杆体の長手方向中央部を枢動可能に連結した連結部と、各杆体の他端部側に設けてあり、対向方向に貫通した貫通孔と、該貫通孔を貫通した両端部が前記一端部を押圧して付勢する付勢条材とを備え、各一端部の対向面にて物体を挟持するピンチにおいて、
前記一端部側における前記対向面の反対側に前記一端部から前記中央部に亘る溝を設けてあり、前記付勢条材の端部は各溝に摺動可能に係合していることを特徴とする。
【０００９】
本発明においては、付勢条材の両端部が各杆体に設けた溝にそれぞれ摺動可能に係合している。溝は杆体の一端部から連結部に亘っている。ピンチの一端部側を押圧した場合、付勢条材は溝に沿って一端部側に移動し、その付勢力によってピンチの一端部側は閉じ、他端部側が開く。一方、例えばピンチの他端部側を押圧した場合、付勢条材は溝に沿って他端部側に移動する。付勢条材の移動に伴って、一端部側に作用していた付勢力は小さくなり、ピンチの一端部側は開き、他端部側が閉じる。
【００１０】
本発明に係るピンチは、前記貫通孔は前記杆体の長手方向に沿う長孔であり、前記貫通孔の長手方向寸法は前記溝よりも長いことを特徴とする。
【００１１】
本発明においては、杆体の他端部側に杆体の長手方向に沿って溝よりも長い貫通孔を形成してあるので、該貫通孔に挿通した付勢条材が溝に沿って移動するか又は押圧によって変形した場合でも、付勢条材は杆体に干渉しない。
【００１２】
本発明に係るピンチは、前記付勢条材の端部に摺動抵抗を低減させる摺動子が設けてあることを特徴とする。
【００１３】
本発明においては、摺動子を付勢条材の端部に設けてあるので、付勢条材は溝を円滑に摺動する。
【００１４】
本発明に係るピンチは、前記溝の底面に突条が設けてあり、該突条上を前記摺動子が摺動するようにしてあることを特徴とする。
【００１５】
本発明においては、溝の底面に突条を設けて、摺動子が溝内を摺動する場合に発生する摺動抵抗を低減させる。
【００１６】
本発明に係るピンチは、前記連結部は、各杆体の対向箇所から対向する前記杆体に向けて突出しており、前記杆体の短手方向に並設され、前記杆体の長手方向に平行な複数の突出片を有し、一方の杆体の突出片は、該突出片に交差する方向に平行な軸の回りに回動可能に、他方の杆体の突出片間に嵌入しており、前記付勢条材はＣリング状をなし、前記両端部はそれぞれ各貫通孔から突出し、前記溝に係合していることを特徴とする。
【００１７】
本発明においては、杆体は連結部を支点にして回動し、一端部の開閉を実現することができる。
【００１８】
本発明に係るピンチは、前記付勢条材の中央部に固定された状態で２つの杆体の他端部側を橋絡し、各貫通孔に沿って摺動するように構成されたストッパを備えることを特徴とする。
【００１９】
本発明においては、ストッパを備えるので、杆体の一端部が閉じている場合に、他端部同士を接近させることで一端部を開くことはできない。従って、一端部に挟まれた物体は容易には抜け落ちない。
しかも、本発明においては、杆体の一端部を意図的に開ける場合、杆体の一端部の対向面に物体を挟持した状態で該物体を吊り下げているときに該物体を下側へ引っ張り、又はストッパを上側へ引っ張ることにより、付勢条材の端部が溝の一端部側から他端部側へ移動し、これに連動してストッパが貫通孔に沿って一端部側から他端部側へ移動して、容易に開けることができる。
一端部を閉じる場合は、両杆体の一端部間に物体を配し、一端部同士を接近させることにより、付勢条材の端部が付勢力によって、溝の他端部側の終端から一端部側の終端まで止まることなく移動し、ストッパも連動して貫通孔に沿って他端部側から一端部側へ移動し、容易に閉じることができる。
そして、本発明においては、ストッパにより杆体の一端部が開いている場合、及び一端部が閉じている場合に、その状態が維持される。厚みがある物体を挟持する場合には、一端部が少し開くことになるが、ストッパにより付勢条材の動きが抑止される。
以上のように、本発明においては、ピンチが吊り下げられている状態で、ユーザは片手で容易に物体をピンチに着脱することができ、しかも物体を挟持するときの力が良好である。
【００２０】
本発明に係るピンチは、各杆体は他端部側に凹部を有し、該凹部は、底面の他端部側に、前記ストッパの端部が貫通する貫通口を有し、前記ストッパは、各杆体の対向方向の両端部が前記凹部内を摺動するように構成されていることを特徴とする。
【００２１】
本発明においては、ストッパが良好に杆体に係止され、一端部が完全に開いたとき、ストッパの端部が貫通口を貫通するので、開いた状態が良好に維持される。
【００２２】
本発明に係るピンチは、棒状をなし、各杆体の対向方向に貫通し、前記付勢条材の中央部が摺動可能に挿通された貫通孔を有するストッパと、前記連結部の内側に、２つの杆体を橋絡するように設けられ、中央部に前記付勢条材の端部の摺動方向に貫通する孔を有し、前記端部が前記溝の一端部に位置するときに、前記ストッパの一端部が前記孔に嵌合するように構成された嵌合部とを備えることを特徴とする。
【００２３】
本発明においては、ストッパを備えるので、杆体の一端部が閉じている場合に、他端部同士を接近させることで一端部を開くことはできない。従って、一端部に挟まれた物体が容易には抜け落ない。
本発明においては、杆体の一端部を意図的に開ける場合、杆体の一端部の対向面に物体を挟持した状態で該物体を吊り下げているときに該物体を下側へ引っ張り、又はストッパを上側へ引っ張ることにより、付勢条材の端部が溝の一端部側から他端部側へ移動し、これに連動して付勢条材の中央部がストッパの貫通孔を一端部側から他端部側へ移動し、ストッパの一端部が嵌合部の孔から抜ける。ストッパの貫通孔の上側部分に付勢条材の中央部が当接して係止されて、杆体の一端部が開き、この状態が維持される。
一端部を閉じる場合は、両杆体の一端部間に物体を配し、一端部同士を接近させることにより、付勢条材の中央部のストッパの貫通孔への係止が解除され、付勢条材の端部が付勢力によって、溝の他端部側の終端から一端部側の終端まで止まることなく移動し、これに連動して付勢条材の中央部がストッパの貫通孔の他端部側から一端部側へ移動する。杆体の一端部は付勢条材の付勢力によって閉じ、ストッパの一端部が嵌合部の孔に嵌合し、この状態が維持される。
以上のように、本発明においては、ピンチが吊り下げられている状態で、ユーザは片手で容易に物体をピンチに着脱することができ、しかも物体を挟持するときの力が良好である。
【００２４】
本発明に係るピンチは、前記ストッパの一端部がテーパ状をなすことを特徴とする。
【００２５】
本発明においては、ストッパの一端部がスムーズに嵌合部に嵌合し、嵌合部から抜けることができる。
【００２６】
本発明に係るピンチは、各杆体は、一端部側に、外側に膨出した湾曲部を備えることを特徴とする。
【００２７】
本発明においては、湾曲部に力を加えることで、溝の鉛直方向に対する傾斜角度が大きくなり、付勢条材の端部が他端部側から一端部側へ容易に移動して一端部を閉じることができる。そして、厚い物体も容易に挟むことができる。
【００２８】
本発明に係るピンチは、前記ストッパの他端部側にフックを設けてあることを特徴とする。
【００２９】
本発明においては、フックをロープに吊り下げることで、ピンチを吊るした状態でピンチの一端部に物体を片手で容易に着脱することができる。
【発明の効果】
【００３０】
本発明にあっては、付勢条材の両端部が各杆体に設けた溝にそれぞれ摺動可能に係合している。溝は杆体の一端部から連結部に亘っている。ピンチの一端部側を押圧した場合、付勢条材は溝に沿って一端部側に移動し、その付勢力によってピンチの一端部側は閉じ、他端部側が開く。一方ピンチの他端部側を押圧した場合、付勢条材は溝に沿って他端部側に移動し、連結部付近まで移動する。付勢条材の移動に伴って、ピンチの一端部側は開き、他端部側が閉じる。そのため片手でピンチを容易に開閉することができ、またピンチを閉じた場合、一端部側に付勢条材が移動しているので、十分に大きな挟持力で洗濯物を挟持することができる。
【図面の簡単な説明】
【００３１】
【図１】一端側が閉じた本発明の実施の形態１に係るピンチを上方から見た略示斜視図である。
【図２】一端側が閉じたピンチを下方から見た略示斜視図である。
【図３】図１に示すＩＩＩ―ＩＩＩ線を切断線とした略示断面図である。
【図４】一端側が開いたピンチを上方から見た略示斜視図である。
【図５】一端側が開いたピンチを下方から見た略示斜視図である。
【図６】本発明の実施の形態２に係るピンチの一端部が閉じている状態を示す斜視図である。
【図７】図６のピンチの第１杆体及び第２杆体を縦方向に切断した状態を示す斜視図である。
【図８】連結部を示す部分拡大平面図である。
【図９】摺動子が他端部側へ移動しているときにピンチの第１杆体及び第２杆体を縦方向に切断した状態を示す斜視図である。
【図１０】ピンチの一端部が開いたときにピンチの第１杆体及び第２杆体を縦方向に切断した状態を示す斜視図である。
【図１１】本発明の実施の形態３に係るピンチを示す斜視図である。
【図１２】本発明の実施の形態４に係るピンチを示す斜視図である。
【図１３】図１２のピンチの第１杆体及び第２杆体を縦方向に切断した状態を示す斜視図である。
【図１４】本発明の実施の形態４に係るピンチの一端部が開いた状態を示す斜視図である。
【図１５】図１４のピンチの第１杆体及び第２杆体を縦方向に切断した状態を示す斜視図である。
【発明を実施するための形態】
【００３２】
以下、本発明を実施の形態に係るピンチを示す図面に基づいて詳述する。
実施の形態１．
図１は一端側が閉じた本発明の実施の形態１に係るピンチを上方から見た略示斜視図、図２は一端側が閉じたピンチを下方から見た略示斜視図、図３は図１に示すＩＩＩ―ＩＩＩ線を切断線とした略示断面図である。ピンチは矩形の第１杆体１０及び第２杆体２０を備える。第１杆体１０及び第２杆体２０は長手方向に沿って互いに対向している。
【００３３】
第１杆体１０の一端部１１における第２杆体２０との対向面１１ａに、凹／凸が連続して形成してある。凹／凸は曲面状の波形形状をなし、凹／凸は１〜２対設けてある。第１杆体１０の第２杆体２０に対向する部分であって、長手方向中央部の一端部１１寄りに、第２杆体２０と連結する連結部１２が設けてある。連結部１２は、第１杆体１０の短手方向に並設してあり、第２杆体２０に向けて突出した三つの突出板を備える（以降、並設された三つの突出板を順に第１突出板１２１、第２突出板１２２、第３突出板１２３という）。第３突出板１２３は第２突出板１２２から離隔した位置に配してあり、第１突出板１２１及び第２突出板１２２の間は、第２突出板１２２及び第３突出板１２３の間よりも狭い。
【００３４】
第１杆体１０における第２杆体２０の反対側部分（第２杆体２０に対向しない部分）において、一端部１１と連結部１２又は連結部１２よりも若干他端部１３寄りの箇所との間に、第１杆体１０の長手方向に沿う溝１５が形成してある。図３に示すように、溝１５の底面には後述する摺動子３２が摺動する複数（例えば四つ）の突条１５ａ、１５ａ、・・・、１５ａが第１杆体１０と一体成形してある。突条１５ａは溝１５の長手方向に沿って延びている。
【００３５】
第１杆体１０の他端部１３には、第１杆体１０の長手方向に長い矩形の長孔である貫通孔１４が設けてある。貫通孔１４は溝１５の他端部１３側終端に連通している。貫通孔１４の長手方向寸法は溝１５の長手方向寸法よりも長い。
【００３６】
第２杆体２０も第１杆体１０と同様な構成を備えている。第２杆体２０の一端部２１における第１杆体１０との対向面２１ａに、第１杆体１０の凹／凸に対応する凸／凹が連続して形成されている。第１杆体１０及び第２杆体２０の凹凸は互いに嵌合する。
【００３７】
第２杆体２０における前記連結部１２に対向する部分に、第１杆体１０と連結する連結部２２が設けてある。連結部２２は、第２杆体２０の短手方向に並設してあり、第１杆体１０に向けて突出した三つの突出板を備える（以降、並設された三つの突出板を順に第１突出板２２１、第２突出板２２２、第３突出板２２３という）。第３突出板２２３は第２突出板２２２から離隔した位置に配してあり、第１突出板２２１及び第２突出板２２２の間は、第２突出板２２２及び第３突出板２２３の間よりも狭い。
【００３８】
なお第２杆体２０の第１突出板２２１〜第３突出板２２３の並びの順番は、第１杆体１０の第１突出板１２１〜第３突出板１２３とは逆順である。第２杆体２０の第３突出板２２３は、第１杆体１０の第１突出板１２１及び第２突出板１２２の間に対向する。第１杆体１０の第３突出板１２３は、第２杆体２０の第１突出板２２１及び第２突出板２２２の間に対向する。
【００３９】
第２杆体２０の第１突出板２２１及び第２突出板２２２の間の寸法は、第１杆体１０の第３突出板１２３の厚さ寸法に略等しい。また第１杆体１０の第１突出板１２１及び第２突出板１２２の間の寸法は、第２杆体２０の第３突出板２２３の厚さ寸法に略等しい。第２杆体２０の第３突出板２２３は、第１杆体１０の第１突出板１２１及び第２突出板１２２の間に嵌入しており、第１杆体１０の第３突出板１２３は、第２杆体２０の第１突出板２２１及び第２突出板２２２の間に嵌入している。
【００４０】
第１杆体１０及び第２杆体２０の第３突出板１２３、２２３は、いずれも、第１突出板１２１、２２１及び第２突出板１２２、２２２の間にて、第３突出板１２３、２２３に垂直な方向に平行な軸の回りを回動することができる。第２杆体２０は他端部２３、貫通孔２４、溝２５、突条２５ａを備えるが、これらは第１杆体１０と同様な構成であり、その詳細な説明を省略する。
【００４１】
両貫通孔１４、２４には、Ｃリング状をなす付勢条材３０が挿入してある。付勢条材３０の両端部３１、３１それぞれは、各貫通孔１４、２４から一端部１１、２１に向けて突出し、摺動子３２、３２を介して第１杆体１０及び第２杆体２０の溝１５、２５に係合している。摺動子３２、３２は付勢条材３０の端部３１、３１を覆っており、突条１５ａ、２５ａ上に位置し、溝１５、２５の側面に接触している。摺動子３２、３２はポリウレタン、ポリエチレン等の合成樹脂部材によって構成されており、第１杆体１０、第２杆体２０を構成する部材との接触抵抗が小さくなる部材が選択されている。
【００４２】
摺動子３２、３２と溝１５の側面・底面との接触抵抗は、付勢条材３０と溝１５、２５の側面・底面との接触抵抗に比べて小さく、摺動子３２、３２は、摺動子３２、３２がない場合に比べて、付勢条材３０の円滑な摺動を確実に実現させることができる。また溝１５の底面に突条１５ａ、２５ａを設けることで、摺動子３２と溝１５の底面との接触面積を小さくし、接触抵抗を低減させ、より円滑な摺動を実現することができる。また突条１５ａ、２５ａを複数設けることで、付勢条材３０からの加重は分散され、突条１５ａ、２５ａ一つあたりの摺動抵抗を低減させ、円滑且つ安定的な摺動を実現することができる。
【００４３】
溝１５、２５の一端部１１、２１側の終端に摺動子３２、３２が位置している場合、付勢条材３０によって各一端部１１、２１には押圧力が作用し、一端部１１、２１は閉じている。洗濯物を一端部１１、２１の間に配置した後、一端部１１、２１を閉じれば洗濯物は一端部１１、２１にて押圧支持される。押圧支持された洗濯物は、嵌合した凹凸によって容易に外れない。
【００４４】
図４は一端側が開いたピンチを上方から見た略示斜視図、図５は一端側が開いたピンチを下方から見た略示斜視図である。図４及び図５の矢印にて示す如く、一端部１１、２１を開く力が作用した場合（例えば他端部１３、２３同士を接近させる力が作用した場合又は一端部１１、２１同士を離隔させる力が一端部１１、２１に直接作用した場合）、摺動子３２、３２は溝１５、２５の他端部１３、２３側の終端に向けて移動する。
【００４５】
付勢条材３０の付勢力（一端部１１、２１を閉じる力）に抗して、第１杆体１０及び第２杆体２０が略平行になるまで一端部１１、２１を開いた場合、付勢条材３０には自らの弾性収縮力による他端部１３、２３側への力が作用し、摺動子３２、３２は止まることなく、溝１５、２５の他端部１３、２３側の終端に向けて移動する。すなわち、一端部１１、２１を開く力をトリガとして、付勢条材３０は自身の弾性収縮力によって他端部１３、２３側へ止まることなく移動する。なお前述したように貫通孔１４、２４は溝１５、２５よりも長いので、付勢条材３０の移動は貫通孔１４、２４によって妨げられない。
【００４６】
摺動子３２、３２は溝１５、２５の他端部１３、２３側の終端にて停止する。付勢条材３０は第１杆体１０及び第２杆体２０の連結部１２、２２又は連結部１２、２２よりも若干他端部１３、２３寄りの箇所を押圧している。付勢条材３０の押圧力によって他端部１３、２３が閉じ、一端部１１、２１が開き、一端部１１、２１による洗濯物の支持は解除される。そして一端部１１、２１は開いた状態で維持される。
【００４７】
一端部１１、２１を閉じる場合、一端部１１、２１を押圧し、各一端部１１、２１を接近させ、摺動子３２、３２を連結部１２、２２又は連結部１２、２２よりも一端部１１、２１側まで移動させる。図１及び図２の矢印に示すように、摺動子３２、３２は、付勢条材３０の付勢力によって、突条１５ａ、２５ａ上を他端部１３、２３側の終端から一端部１１、２１側の終端まで止まることなく移動し、付勢条材３０は一端部１１、２１側へ移動する。一端部１１、２１は付勢条材３０の付勢力によって閉じる。
【００４８】
本実施の形態に係るピンチにあっては、付勢条材３０の両端部が第１杆体１０及び第２杆体２０に設けた溝１５、２５にそれぞれ摺動可能に係合している。溝１５、２５は杆体の一端部１１、２１から連結部１２、２２に亘っている。ピンチの一端部１１、２１側を押圧した場合、付勢条材３０は溝１５、２５に沿って一端部１１、２１側に移動し、その付勢力によってピンチの一端部１１、２１側は閉じ、他端部１３、２３側が開く。一方、例えばピンチの他端部１３、２３側を押圧した場合、付勢条材３０は溝１５、２５に沿って他端部１３、２３側に移動し、連結部１２、２２付近まで移動する。付勢条材３０の移動に伴って、ピンチの一端部１１、２１側は開き、他端部１３、２３側が閉じる。そのため片手でピンチを容易に開閉することができ、またピンチを閉じた場合、一端部１１、２１側に付勢条材３０が移動しているので、十分に大きな挟持力で洗濯物を挟持することができる。
【００４９】
また複数のピンチをロープ等に吊り下げて洗濯物を干す場合、ピンチの一端部１１、２１が開いていれば、洗濯物を小指、薬指、中指で把持した状態で、人差し指及び親指でピンチを閉じることができるので、洗濯物を両手で持ったまたピンチを閉じることができる。そのため皺をのばした状態で洗濯物をピンチに保持させることができる。
【００５０】
またピンチから洗濯物を取り外す場合、洗濯物を引っ張ると、ピンチの一端部１１、２１に、一端部１１、２１を開く力が直接作用し、この力をトリガとして、付勢条材３０が他端部１３、２３側に移動して、一端部１１、２１が開く。そのためピンチから取り外す手間を省くことができる。一端部１１、２１の対向面１１ａ、２１ａを１〜２対の凹凸で形成しているので、対向面１１ａ、２１ａをより多数の突起で形成する場合に比べて、洗濯物を引っ張った場合に、一つの突起に作用する力（一端部１１、２１を開く力）が大きくなり、より確実に一端部１１、２１を開くことができる。
【００５１】
一端部１１、２１よりも他端部１３、２３は長いため、一端部１１、２１を閉じた状態で複数のピンチが同じ収容体に収容されている場合、各ピンチの他端部１３、２３が絡み合って取り出しが困難となるが、実施の形態に係るピンチは、一端部１１、２１を開いた状態でピンチを収容することができ、上記問題を解消させることができる。
【００５２】
また杆体の他端部１３、２３側に杆体の長手方向に沿って溝１５、２５よりも長い貫通孔１４、２４を形成してあるので、該貫通孔１４、２４に挿通した付勢条材３０が溝１５、２５に沿って移動するか又は押圧によって変形した場合でも、付勢条材３０は杆体に干渉しない。
【００５３】
また摺動子３２、３２を付勢条材３０の端部３１、３１に設けてあるので、付勢条材３０は溝１５、２５を円滑に摺動することができる。また突条１５ａ、２５ａを設けることによって、突条１５ａ、２５ａを設けない溝１５、２５の底面を摺動子３２、３２が摺動する場合に比べて摺動抵抗を低減させ、確実な摺動を実現することができる。また杆体は連結部１２、２２を支点にして回動し、一端部１１、２１の開閉を実現することができる。また溝１５と貫通孔１４は連通しているので、簡素な金型にて容易に一体成形することができる。
【００５４】
なお溝１５、２５は一端部１１、２１から中央部に亘り形成してあればよく、一端部１１、２１と連結部１２、２２よりも若干一端部１１、２１寄りの箇所との間に形成されていてもよい。また突条１５ａ、２５ａは摺動抵抗を低減させることができればよく、その数は限定されず、単数であってもよい。
【００５５】
実施の形態２．
本発明の実施の形態２に係るピンチは、貫通孔１４、２４に沿って摺動するストッパ４０を備えること以外は、実施の形態１に係るピンチと同様の構成を有する。
図６は本発明の実施の形態２に係るピンチの一端部が閉じている状態を示す斜視図、図７は図６のピンチの第１杆体１０及び第２杆体２０を縦方向に切断した状態を示す斜視図、図８は連結部１２及び２２を示す部分拡大平面図、図９は摺動子３２が他端部側へ移動しているときにピンチの第１杆体１０及び第２杆体２０を縦方向に切断した状態を示す斜視図、図１０はピンチの一端部が開いたときにピンチの第１杆体１０及び第２杆体２０を縦方向に切断した状態を示す斜視図である。なお、図８の左側が図６の表側に対応する。
実施の形態２に係るピンチは、第１杆体１０と、第２杆体２０と、付勢条材３０と、ストッパ４０と、フック５０とを備える。
【００５６】
第１杆体１０の一端部１１における第２杆体２０との対向面１１ａには、波状の凹／凸が連続して形成してある。
第１杆体１０における第２杆体２０の反対側部分（第２杆体２０に対向しない部分）において、連結部１２より少し他端部１３寄りの部分から一端部１１側に亘って、第１杆体１０の長手方向に沿う溝１５が形成してある。本実施の形態においては、溝１５には突条１５ａは形成されていない。
【００５７】
第１杆体１０は他端部１３側に凹部１３０を有する。凹部１３０は、第１杆体１０の長手方向に延びる基板部１３１と、基板部１３１の幅方向の両縁部から内側に突出した側板部１３２、１３２（図６参照）と、基板部１３１の他端部側に設けられ、幅が基板部１３１の幅より少し狭い貫通口１３３とを有する。基板部１３１の幅方向の中央部には長手方向に延びる貫通孔１４が設けられており、貫通孔１４は、一端部、及び他端部がそれぞれ溝１５、及び貫通口１３３に連通している。
【００５８】
第２杆体２０も第１杆体１０と同様に、一端部２１における第１杆体１０との対向面２１ａには、波状の凹／凸が連続して形成してある。
第２杆体２０の第１杆体１０に対向しない部分において、連結部２２より少し他端部２３寄りの部分から一端部２１側に亘って、第２杆体２０の長手方向に沿う溝２５が形成してある。
第２杆体２０は他端部２３側に凹部２３０を有する。凹部２３０は、第２杆体１０の長手方向に延びる基板部２３１と、基板部２３１の幅方向の両縁部から内側に突出した側板部２３２、２３２（図６参照）と、基板部２３１の他端部側に設けられ、幅が基板部２３１の幅より少し狭い貫通口２３３とから構成される。基板部２３１の幅方向の中央部には長手方向に延びる貫通孔２４が設けられており、貫通孔２４は一端部、及び他端部がそれぞれ溝２５、及び貫通口２３３に連通している。
【００５９】
第１杆体１０の連結部１２は、第１挟持板部１２４、第２挟持板部１２５、被挟持板部１２６、及び係止突起１２７を有する。
第１挟持板部１２４はＵ字状をなし、曲面部が第２杆体２０に対向する。第２挟持板部１２５及び被挟持板部１２６は舌片状をなし、被挟持板部１２６は第２挟持板部１２５より大きい。被挟持板部１２６の中央部には円板状の係止突起１２７が設けられている。
第２杆体２０の連結部２２も連結体１２と同様に、第１挟持板部２２４、第２挟持板部２２５、被挟持板部２２６、及び係止突起２２７を有する。
第２持板部２２４はＵ字状をなし、曲面部が第１杆体１０に対向する。第２挟持板部２２５及び被挟持板部２２６は舌片状をなし、被挟持板部２２６は第２挟持板部２２５より大きい。被挟持板部２２６の中央部には円板状の係止突起２２７が設けられている。
【００６０】
図８に示すように、図６の表側に対応する連結部２２の被挟持板部２２６が、係止突起２２７が連結部１２の第１挟持板部１２４に係止された状態で、第１挟持板部１２４及び第２挟持板部１２５により挟持されている。図６の裏側に対応する連結部１２の被挟持板部１２６は、係止突起１２７が連結部２２の第１挟持板部２２４に係止された状態で、第１挟持板部２２４及び第２挟持板部２２５により挟持されている。
第１挟持板部１２４、２２４が他方の連結部の係止突起に対し回転することにより、ピンチの一端部１１、２１が開閉するように構成されている。
【００６１】
ストッパ４０は、細長い板状をなす本体４１と、本体４１の一端側の面の長手方向中央部に設けられたフック４２、４２と、本体４１の他端側の面の長手方向中央部に設けられたリング状の係止部４３とを備える。
【００６２】
両貫通孔１４、２４には、Ｃリング状をなす付勢条材３０が挿入してある。付勢条材３０の両端部には、各貫通孔１４、２４から一端部１１、２１に向けて突出した摺動子３２、３２が設けられ、摺動子３２、３２は第１杆体１０及び第２杆体２０の溝１５、２５に係合している。
【００６３】
ストッパ４０は、フック４２、４２に付勢条材３０の中央部（他端側部分）を係止させた状態で、本体４１の長手方向の一端部が、第１杆体１０の基板部１３１と両側板部１３２とにより構成される凹部１３０に嵌合し、他端部が、第２杆体２０の基板部２３１と両側板部２３２とにより構成される凹部２３０に嵌合している。
図６に示すように、ストッパ４０の係止部４３には、Ｓ字状をなすフック５０の下側の鉤部が係止され、フック５０の上側の鉤部は例えばロープ（不図示）に引っ掛けることができる。
【００６４】
図６及び図７に示すように、溝１５、２５の一端部１１、２１側の終端に摺動子３２、３２が位置している場合、付勢条材３０によって各一端部１１、２１に押圧力が作用し、一端部１１、２１は閉じている。ピンチがロープに吊り下げられ、一端部１１、２１が開いている状態で洗濯物（不図示）を一端部１１、２１の間に配置した後、一端部１１、２１を閉じることにより、洗濯物は一端部１１、２１にて押圧挟持される。
【００６５】
洗濯物を下に引っ張り、一端部１１、２１を開く力が作用した場合、図８に示すように、摺動子３２、３２は溝１５、２５の他端部１３、２３側の終端に向けて移動し、これに連動してストッパ４０が貫通孔１４、２４に沿い、他端部１３、２３側に向けて移動する。
【００６６】
付勢条材３０の付勢力（一端部１１、２１を閉じる力）に抗して、第１杆体１０及び第２杆体２０の一端部１１、２１が開いた場合、付勢条材３０には自らの弾性収縮力による他端部１３、２３側への力が作用し、摺動子３２、３２は止まることなく、溝１５、２５の他端部１３、２３側の終端に向けて移動する。すなわち、一端部１１、２１を開く力をトリガとして、付勢条材３０は自身の弾性収縮力によって他端部１３、２３側へ止まることなく移動し、これに連動してストッパ４０も貫通孔１４、２４に沿って他端部１３、２３側へ移動する。
【００６７】
摺動子３２、３２は溝１５、２５の他端部１３、２３側の終端にて停止する。付勢条材３０は第１杆体１０及び第２杆体２０の連結部１２、２２よりも若干他端部１３、２３寄りの部分を押圧している。付勢条材３０の押圧力によって他端部１３、２３が閉じ、ストッパ４０の長手方向の両端部が貫通口１３３、２３３を貫通されて貫通口１３３、２３３に係止され、ストッパ４０の動きが抑止される。一端部１１、２１が開いて一端部１１、２１による洗濯物の挟持が解除される。ストッパ４０により、この一端部１１、２１が開いた状態が維持される。
【００６８】
一端部１１、２１を閉じる場合、一端部１１、２１間に洗濯物を配し、一端部１１、２１を押圧して接近させることにより、ストッパ４０の両端部の貫通口１３３、２３３に対する係止が解除され、摺動子３２、３２が連結部１２、２２よりも一端部１１、２１側に移動する。摺動子３２、３２は、付勢条材３０の付勢力によって、溝１５、２５の他端部１３、２３側の終端から一端部１１、２１側の終端まで止まることなく移動し、これに連動してストッパ４０も貫通孔１４、２４の他端部側から一端部側へ移動する。一端部１１、２１は付勢条材３０の付勢力によって閉じる。
【００６９】
本実施の形態においては、ストッパ４０を有するので、杆体１０、２０の一端部１１、２１が閉じている場合に、他端部１３、２３同士を接近させて、一端部１１、２１を開くことはできない。従って、一端部１１、２１間に挟まれた洗濯物は容易には抜け落ちない。
しかも、本実施の形態においては、ピンチが吊り下げられている状態で、ユーザは片手で洗濯物を引っ張り、一端部１１、２１を軽く押圧することで、容易に洗濯物をピンチに脱着することができる。
そして、本実施の形態においては、ストッパ４０により杆体の一端部が開いている場合、及び一端部が閉じている場合に、その状態が維持される。厚みがある洗濯物を挟持する場合には一端部が少し開くことになるが、ストッパ４０により付勢条材３０の動きが抑止される。すなわち、本発明の実施の形態においては、洗濯物の厚みに関わらず、洗濯物の挟持状態が良好に維持される。
【００７０】
実施の形態３．
本発明の実施の形態３に係るピンチは、第１杆体１０及び第２杆体２０の上端部側の形状が異なること以外は、実施の形態２に係るピンチと同様の構成を有する。
図１１は、本発明の実施の形態３に係るピンチを示す斜視図である。図中、図６〜１０と同一部分は同一符号を付して詳細な説明を省略する。
【００７１】
実施の形態３に係るピンチにおいて、第１杆体１０及び第２杆体２０は、一端部１１、２１側に、外側に膨出し、略半円状をなす湾曲部１６、２６を備える。
この湾曲部１６、２６が接近するように力を加えることにより、溝１５、２５の図１１に示す上下方向に対する傾斜が大きくなり、付勢条材３０の端部が迅速に一端部１１、２１側へ移動し、一端部１１、２１を容易に閉じることができる。
【００７２】
実施の形態４．
本発明の実施の形態４に係るピンチは、ストッパ６０の構成が実施の形態２に係るストッパ４０の構成と異なること以外は、実施の形態２に係るピンチと同様の構成を有する。
図１２は本発明の実施の形態４に係るピンチを示す斜視図、図１３は図１２のピンチの第１杆体１０及び第２杆体２０を縦方向に切断した状態を示す斜視図、図１４はピンチの一端部が開いた状態を示す斜視図、図１５は図１４のピンチの第１杆体１０及び第２杆体２０を縦方向に切断した状態を示す斜視図である。図中、図６〜１０と同一部分は同一符号を付して詳細な説明を省略する。
実施の形態４に係るピンチは、第１杆体１０と、第２杆体２０と、付勢条材３０と、ストッパ６０と、フック５０とを備える。
【００７３】
第１杆体１０の一端部１１における第２杆体２０との対向面１１ａには、複数の突起１１ｂが形成してある。
第１杆体１０における第２杆体２０の反対側部分（第２杆体２０に対向しない部分）において、連絡部１２より少し他端部１３寄りの部分から一端部１１に亘って、第１杆体１０の長手方向に沿う溝１５が形成してある。
【００７４】
第１杆体１０の他端部１３は、外側に開くように曲がっている。他端部１３は凹部１３０を有し、凹部１３０の底面に貫通孔１４が形成されている。
【００７５】
第２杆体２０も第１杆体１０と同様に、一端部２１における第１杆体１０との対向面２１ａに複数の突起２１ｂが形成してある。
第２杆体２０の第１杆体１０に対向しない部分において、連結部２２より少し他端部２３寄りの部分から一端部２１に亘って、第２杆体２０の長手方向に沿う溝２５が形成してある。
第２杆体２０の他端部２３は、外側に開くように曲がっている。他端部２３は凹部２３０を有し、凹部２３０の底面に貫通孔２４が形成されている。
【００７６】
両貫通孔１４、２４には、Ｃリング状をなす付勢条材３０が挿入してある。付勢条材３０の両端部には、各貫通孔１４、２４から一端部１１、２１に向けて突出した摺動子３２、３２が設けられ、摺動子３２、３２は第１杆体１０及び第２杆体２０の溝１５、２５に係合している。
【００７７】
ストッパ６０は、本体６１、貫通孔６２、凹部６３、及び嵌合端部６４を備える。
本体６１は棒状をなす。貫通孔６２は本体６１の他端部側部分に設けられ、第１杆体１０及び第２杆体２０の対向方向に貫通する。凹部６３は貫通孔６２の貫通方向と交叉する方向に貫通するように設けられ、他端部が開口している。嵌合端部６４は、円板部６４ａと、円板部６４ａに連設された先細のテーパ部６４ｂと、テーパ部６４ｂに連設された筒部６４ｃとからなる。
【００７８】
フック５０は、ピンチの長手方向（図１２の上下方向）に細長い板状をなし、上側及び下側にそれぞれ鉤部を有する。
嵌合部７０は板状をなし、連結部１２及び２２の内側で第１杆体１０及び第２杆体２０を橋絡するように設けられており、橋絡方向の中央部に付勢条材３０の摺動子３２の摺動方向に貫通する貫通孔７０ａを有する。貫通孔７０ａは、ストッパ６０の嵌合端部６４の前記円板部６４ａ及びテーパ部６４ｂと同一の形状を有する。
【００７９】
付勢条材３０の中央部が、ストッパ６０の貫通孔６２に摺動可能に挿通された上で、フック５０の下側の鉤部が凹部６３に挿入されて、該鉤部に前記中央部が係止されている。
フック５０の上側の鉤部はロープ（不図示）に引っ掛けられている。
【００８０】
図１１及び図１２に示すように、溝１５、２５の一端部１１、２１側の終端に摺動子３２、３２が位置している場合、ストッパ６０の嵌合端部６４は嵌合部７０の貫通孔７０ａに嵌合されており、付勢条材３０によって各一端部１１、２１に押圧力が作用し、一端部１１、２１は閉じている。ピンチがフック５０を介しロープに吊り下げられ、一端部１１、２１が開いている状態で洗濯物（不図示）を一端部１１、２１の間に配置した後、一端部１１、２１を閉じることにより、洗濯物は一端部１１、２１にて押圧挟持される。押圧挟持された洗濯物は容易には外れない。
【００８１】
洗濯物を下に引っ張り、一端部１１、２１を開く力が作用した場合、図１３及び図１４に示すように、摺動子３２、３２は溝１５、２５の他端部１３、２３側の終端に向けて移動し、ストッパ６０の嵌合端部６４は貫通孔７０ａから抜け、貫通孔７０ａの幅が広くなるように嵌合部７０が開き、摺動子３２の移動に連動して、付勢条材３０の中央部が貫通孔６２内を上側へ移動する。
【００８２】
付勢条材３０の付勢力（一端部１１、２１を閉じる力）に抗して、第１杆体１０及び第２杆体２０の一端部１１、２１が開いた場合、付勢条材３０には自らの弾性収縮力による他端部１３、２３側への力が作用し、摺動子３２、３２は止まることなく、溝１５、２５の他端部１３、２３側の終端に向けて移動する。すなわち、一端部１１、２１を開く力をトリガとして、付勢条材３０は自身の弾性収縮力によって他端部１３、２３側へ止まることなく移動する。
【００８３】
摺動子３２、３２は溝１５、２５の他端部１３、２３側の終端にて停止する。付勢条材３０は第１杆体１０及び第２杆体２０の連結部１２、２２よりも若干他端部１３、２３寄りの部分を押圧している。付勢条材３０の押圧力によって他端部１３、２３が閉じ、付勢条材３０の中央部がストッパ６０の本体６１の貫通孔６２の上側側面に当接し、他端部１３、２３の先端の曲がっている部分に、付勢条材３０の中央部より少し端部寄りの部分が嵌合する。一端部１１、２１は開いて一端部１１、２１による洗濯物の挟持が解除され、この一端部１１、２１が開いた状態が維持される。
【００８４】
一端部１１、２１を閉じる場合、一端部１１、２１間に洗濯物を配し、一端部１１、２１を押圧して接近させることにより、付勢条材３０の中央部、及び該中央部より少し端部寄りの部分の、本体６１、及び他端部１３、２３への係止が解除され、摺動子３２、３２が連結部１２、２２よりも一端部１１、２１側に移動する。摺動子３２、３２は、付勢条材３０の付勢力によって、溝１５、２５の他端部１３、２３側の終端から一端部１１、２１側の終端まで止まることなく移動し、これに連動して付勢条材３０の中央部が貫通孔６２を他端部側から一端部側へ移動する。一端部１１、２１は付勢条材３０の付勢力によって閉じ、ストッパ６０の嵌合端部６４は嵌合部７０の貫通孔７０ａに嵌合し、この状態が維持される。嵌合端部６４はテーパ状をなすので、貫通孔７０ａに容易に抜き差しされる。
【００８５】
本実施の形態においては、杆体１０、２０の一端部１１、２１が閉じている場合に、他端部１３、２３同士を接近させて、一端部１１、２１を開くことはできない。従って、一端部１１、２１に挟まれた洗濯物は容易に外れない。
しかも、本実施の形態においては、上述したように構成されているので、ピンチが吊り下げられている状態で、ユーザは片手で容易に洗濯物をピンチに着脱することができ、しかも洗濯物を挟持するときの力が良好である。
【００８６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００８７】
１０  第１杆体
２０  第２杆体
１１、２１  一端部
１２、２２  連結部
１２１、２２１  第１突出板
１２２、２２２  第２突出板
１２３、２２３  第３突出板
１２４、２２４  第１挟持板部
２２５  第２挟持板部
１２６、２２６  被挟持板部
２２７  係止突起
１３、２３  他端部
１４、２４  貫通孔
１５、２５  溝
１５ａ、２５ａ  突条
２０  第２杆体
３０  付勢条材
３１  端部
３２  摺動子
４０、６０  ストッパ
４１、６１  本体
４２  フック
４３  係止部
６２  貫通孔
６３  凹部
６４  嵌合端部
５０  フック
７０  嵌合部
７０ａ  貫通孔
【図１】
2014133096.tif 000003
【図２】
2014133096.tif 000004
【図３】
2014133096.tif 000005
【図４】
2014133096.tif 000006
【図５】
2014133096.tif 000007
【図６】
2014133096.tif 000008
【図７】
2014133096.tif 000009
【図８】
2014133096.tif 000010
【図９】
2014133096.tif 000011
【図１０】
2014133096.tif 000012
【図１１】
2014133096.tif 000013
【図１２】
2014133096.tif 000014
【図１３】
2014133096.tif 000015
【図１４】
2014133096.tif 000016
【図１５】
2014133096.tif 000017